(57)【要約】【課題】読み取りやすさを犠牲にすることなく、より多くの情報をウィンドウ内に表示することが可能な時計を提供すること。【解決手段】表面にインジケータ群２３２０，２３２１，２３２２，２３３０が形成された少なくとも１つの表示盤２３２，２３３と、前記インジケータ群２３２０，２３２１，２３２２，２３３０のいずれかがウィンドウに表示されるよう前記表示盤２３２，２３３を回転駆動するアクチュエータとを備えて成る時計において、前記インジケータ群２３２０，２３２１，２３２２，２３３０のうちのいくつかのインジケータをそれぞれ独立して同時に前記ウィンドウに表示するよう構成した。
2009508123.tif 000002
【特許請求の範囲】
【請求項１】
表面にインジケータ群（２３２０〜２３２２，２３３０）が形成された少なくとも１つの表示盤（２３２，２３３）と、
前記インジケータ群のいずれかがウィンドウ（２３０）に表示されるよう前記表示盤を回転駆動する少なくとも１つのアクチュエータと
を備えて成る時計において、
前記インジケータ群のうちのいくつかのインジケータ（２３２０，２３２１）をそれぞれ独立して同時に前記ウィンドウ（２３０）に表示するよう構成したことを特徴とする時計。
【請求項２】
前記インジケータ（２３２０，２３２１）を時間に応じて表示することを特徴とする請求項１記載の時計。
【請求項３】
前記インジケータのいずれかを英数字とするとともに、他のインジケータを英数字の色、背景色、英数字の字体、図柄又は英数字以外の文字で表現したことを特徴とする請求項１又は２記載の時計。
【請求項４】
前記インジケータ（２３２０，２３２１）のいずれかを、数字とするとともに日付の十又は一の位に対応するようにしたことを特徴とする請求項３記載の時計。
【請求項５】
前記インジケータのいずれかを、数字以外のものとするとともに午前／午後を表現するようにしたことを特徴とする請求項１〜４のいずれか１項に記載の時計。
【請求項６】
午前を所定の第１の色で表現し、午後を所定の第２の色で表現したことを特徴とする請求項５記載の時計。
【請求項７】
午前／午後の表示を当該時計（１）の時針（２０）、分針（２１）及び秒針（２２）で示された現在時刻に応じて表示することを特徴とする請求項５又は６記載の時計。
【請求項８】
午前／午後の表示をアラーム設定時刻に応じて表示することを特徴とする請求項５又は６記載の時計。
【請求項９】
午前／午後の表示を当該時計（１）に表示された他の時間域における時刻に応じて表示することを特徴とする請求項５又は６記載の時計。
【請求項１０】
２つのウィンドウ（２３０，２３１）を設けるとともに、これらウィンドウに、日付の十の位及び一の位並びに日付と無関係かつ数字以外のインジケータを表示することを特徴とする請求項１〜９のいずれか１項に記載の時計。
【請求項１１】
少なくとも１つの前記インジケータ（２３２２）により時間とは無関係に当該時計のモードを表示したことを特徴とする請求項１〜１０のいずれか１項に記載の時計。
【請求項１２】
前記モードをアラーム設定モードとしたことを特徴とする請求項１１記載の時計。
【請求項１３】
前記表示盤（２３２，２３３）をそれぞれ独立したアクチュエータで駆動するよう構成したことを特徴とする請求項１〜９のいずれか１項に記載の時計。
【請求項１４】
少なくとも１つの前記アクチュエータを、前記表示盤（２３２，２３３）を双方向に回転させるものとしたことを特徴とする請求項１〜１０のいずれか１項に記載の時計。
【発明の詳細な説明】
【技術分野】
【０００１】
本発明は、時計製造分野に関するものであり、特に、ウィンドウにインジケータを表示する腕時計又はその構成部材に関する。
【背景技術】
【０００２】
数字で構成されたインジケータをウィンドウに表示する時計及びその構成部材は既に知られており、例えば日付を数字で表示するものがある。例えば日付の十の位を１つのウィンドウに表示し、一の位を他のウィンドウに表示するような、インジケータをいくつかのウィンドウで表示する腕時計も、大きな数字を用いているため読み取りやすく、新たな人気となっている。
【０００３】
ウィンドウに表示されるインジケータは、通常、異なる数字として、例えばディスク状、リング状、十字型、星型、その他の多角形等の表示盤上に形成されている。このような表示盤は、ウィンドウに適切なインジケータが表示されるよう各インジケータ間の間隔に応じてムーブメントにより駆動されるようになっている。このムーブメントは、表示盤を時針、分針及び秒針とは無関係に駆動するものであるか、表示盤を時針、分針及び秒針を駆動するステッピングモータによって駆動するものである。
【０００４】
また、特許文献１には３つのウィンドウで構成されたストップウォッチを備えた腕時計が開示されており、この３つのウィンドウは、ストップウォッチで計測された時分を機械的に又は数字で表示するためのものである。ここでは、数字が形成されたディスク状の３つの表示盤がウィンドウの裏側で回転し、適切な表示がなされるようになっている。さらに、３つのウィンドウを備えた腕時計は特許文献２にも開示されている。
【特許文献１】国際公開第２００５／００６０８７号
【特許文献２】国際公開第２００２／０９３２７３号
【発明の開示】
【発明が解決しようとする課題】
【０００５】
しかしながら、３つのウィンドウを使用するとメカニズムが複雑かつデリケートなものとなるばかりでなく、大きな空間を必要とするという問題がある。
【０００６】
また、記号をウィンドウ内に表示することは好ましいことであり高い信頼性が得られるものであるが、美観を損なったりサイズを大きくすることなくウィンドウ数を増やすことができない。そのため、便利なインジケータであっても、十分な空間が得られないために表示できず、ウィンドウ内に表示するインジケータの数は限られたものであった。
【０００７】
そこで、本発明の１つの目的は、これらの制限をなくして、読み取りやすさを犠牲にすることなく、より多くの情報をウィンドウ内に表示することが可能な時計を提供することにある。
【課題を解決するための手段】
【０００８】
上記目的を達成するため、本発明は、表面にインジケータ群が形成された少なくとも１つの表示盤と、前記インジケータ群のいずれかがウィンドウに表示されるよう前記表示盤を回転駆動するアクチュエータとを備えて成る時計において、前記インジケータ群のうちのいくつかのインジケータをそれぞれ独立して同時に前記ウィンドウに表示するよう構成したことを特徴としている。
【０００９】
このような解決手段によれば、ウィンドウ内のディスプレイ領域を用いることによっていくつかの独立したインジケータを同時に表示することが可能であるという利点が得られる。
【００１０】
また、本発明の一実施形態においては、２つの互いに独立しつつ時間に依存するインジケータを１つの同じウィンドウに表示させるようになっている。
【００１１】
また、ウィンドウが占められる空間は限られたものであり、このウィンドウ内に十分な大きさでインジケータのあらゆる組み合わせを表示することは容易ではないため、本発明の一実施形態においては、表示盤の１つにいくつかの英数字を形成する一方、他の表示盤には例えば午前／午後、スイッチＯＮ／ＯＦＦ、モード１／２等の２つの表示がなされるようになっている。
【００１２】
また、本発明の一実施形態においては、例えば日付を示す１つのインジケータが数字で表示されるのに対し、例えば午前／午後を示す他のインジケータは、数字の色、背景色又は英数字以外の記号で表示されるようになっている。
【００１３】
さらに、本発明の一実施形態においては、一方のインジケータが日付の十の位を示すインジケータにのみ、加えて表示されるようになっている。この日付の十の位を示すインジケータが形成された表示盤には０〜３のみの数字が形成されることになるので、この表示盤には、表示すべきインジケータを過度に増やすことなく例えば２対のインジケータを組み合わせることが可能となっている。また、日付の十の位を示すインジケータが形成された表示盤は月に最大でも４回しか回転しないため、すべてのインジケータを表示するためのこの表示盤の回転を少なく抑えることも可能となっている。
【００１４】
なお、本発明は、日付の十の位を例えば色を付けて表示し、午前／午後の表示機能も果たすようにした実施例も含むものである。
【発明の効果】
【００１５】
読み取りやすさを犠牲にすることなく、より多くの情報をウィンドウ内に表示することが可能な時計を提供することが可能である。
【発明を実施するための最良の形態】
【００１６】
以下に本発明の実施の形態を添付図面に基づいて説明する。なお、以下の説明において、「時計」とは腕時計も含んだものを意味する。
【００１７】
図１には時計１の正面図が示されており、この時計１は、例えば電子クオーツムーブメント、機械式ムーブメント等のムーブメント（不図示）に適合するケーシング１０を備えて構成されている。また、文字盤には２つのウィンドウ２３０，２３１が設けられており、日付その他の情報を表示するためにそれぞれ独立して文字等が表示されるようになっている（図示では日付として２８日が表示されている。）。
【００１８】
時間は従来と同様に時針２０、分針２１及び秒針２２によって表示され、これら時針２０、分針２１及び秒針２２は、時計１の中心部の一点を中心に枢支されつつステッピングモータ（好ましくはそれぞれ独立したステッピングモータあるいは双方向モータ）等のアクチュエータ（不図示）によって駆動されるようになっている。さらに、その他の表示機能として、英数字、いくつかの他の時間域（時差のある地域）における時間等を設定することも可能である。
【００１９】
なお、機械式のムーブメントを使用する場合には、アクチュエータを歯車列で構成する必要がある。
【００２０】
ところで、時計１にはフランジ１１が設けられており、このフランジ１１には２４に分けられた各時間域表示部１１０が形成されている。ここで、各時間域は都市名によって表示されている。日付及び午前／午後の計算に使用される時針２０及び分針２１で表示されたた時間域をユーザが変更する場合には、ボタンＡ，Ｂ及びリュウズ１０２を適当に操作して時間域を変更することができるようになっている。
【００２１】
ここで、このリュウズ１０２はその軸方向に、例えば中間位置（Ｃ＝０、中立位置）、アラームセットモード又は時間域変更モードに移行する押込み位置（Ｃ＝−１）及び時間及び日付調節モードへ移行する押出位置（Ｃ＝＋１）の異なる３つのポジションを有している。なお、リュウズ１０２を、押込み位置（Ｃ＝−１）から開放することにより自動で中間位置（中立位置）に復帰するように設定するとよい。ボタンＡ，Ｂも更に設けられている。
【００２２】
図２は第１の表示盤２３２を示しており、この第１の表示盤２３２に形成されたインジケータのうちいずれかが第１のウィンドウ２３０に表示されるようになっている。図３に示す第２の表示盤２３３も同様に、これに形成されたインジケータのうちいずれかが第２のウィンドウ２３１に表示されるようになっている。図示の例では、両表示盤２３２，２３３はその中心部の一点を中心に駆動チェーン（不図示）によって回転するリング状に形成されているが、他の形態のもの（例えばディスク）としてもよい。
【００２３】
上記両表示盤２３２，２３３は時針２０を駆動するステッピングモータによって直接的に又は間接的に駆動されるが、この際、両表示盤２３２，２３３は、時針２０、分針２１及び秒針２２を駆動するアクチュエータから独立して特に双方向モータによって駆動されるようにするのが望ましい。
【００２４】
ところで、第１の表示盤２３２の表面にはインジケータ２３２０，２３２１，２３２２が形成されており、このうちインジケータ２３２０，２３２１は日付の十の位を示すものである。そのため、このインジケータ２３２０，２３２１には０、１、２及び３しか設定されていない。本発明によれば、これら０、１、２及び３の各数字は、第１のウィンドウ２３２に異なる様式で２回表示されることになる。すなわち、例えば第１の様式で示すインジケータ２３２０が午前を表し、第２の様式で示すインジケータ２３２１が午後を表すという具合である。
【００２５】
このような２種類の様式のインジケータ２３２０，２３２１はその背景色で区別されており、例えば、茶色で午前を表し、明るい黄色で午後を表すことが考えられる。さらに、両者を数字の色、字体（フォント）で区別したり、あるいは日付の横に図柄、アルファベット（例えばa.m./p.m.）等を表示することによって区別することもできる。
【００２６】
したがって、上記第１の表示盤２３２の多くの位置で日付の十の位の表示とともに午前／午後の表示が第１のウィンドウ２３０でなされることとなる。このため、この日付の十の位を表示する第１の表示盤２３２は、日付の十の位が変わる場合以外は正午と深夜０時にそれぞれ反対方向へ回転する必要がある。ここで、双方向ステッピングモータを使用することにより、正午及び深夜０時に必要な回転角を低減することが可能となるばかりでなく、電力消費を低減しつつ迅速に第１のウィンドウ２３０における表示を切り換えることも可能となる。
【００２７】
第１の表示盤２３２には時計１の所定の動作モードを表示するインジケータ２３２２が形成されており、図示の例では「アラームＯＮ」と「アラームＯＦＦ」の２つのアイコンが示されている。これら２つのアイコンは、時計１がアラームセットモードに移行すると第１のウィンドウ２３０に表示され、アラームのＯＮ／ＯＦＦはボタンＡ，Ｂ又はリュウズ１０２によって設定され、第１の表示盤２３２の回転によって直ちにこれが表示されるようになっている。
【００２８】
図３に示されている第２の表示盤２３３には日付の一の位を示す数字列が形成されているが、これを数字以外で時間を示す他の独立したインジケータ（例えば曜日）と組み合わせて用いることも可能である。
【００２９】
また、第１の表示盤２３２に形成された午前／午後を示すインジケータを時針２０、分針２１及び秒針２２で示された現在時刻に合わせるだけでなく、例えばアラーム設定時刻、他の時間域等の他の設定に合わせることも可能である。
【図面の簡単な説明】
【００３０】
【図１】本発明による時計の正面図である。
【図２】日付の十の位及び他の所定の動作モードを表示する第１の表示盤を示す図である。
【図３】日付の一の位を表示する第２の表示盤を示す図である。
【符号の説明】
【００３１】
１              時計
１０            ケーシング
１１            フランジ
２０            時針
２１            分針
２２            秒針
１０２          リュウズ
１１０          時間域表示部
２３０          第１のウィンドウ
２３１          第２のウィンドウ
２３２          第１の表示盤
２３３          第２の表示盤
２３２０，２３２１，２３２２，２３３０  インジケータ
Ａ，Ｂ          ボタン
【図１】
2009508123.tif 000003
【図２】
2009508123.tif 000004
【図３】
2009508123.tif 000005
【手続補正書】
【提出日】平成19年3月31日(2007.3.31)
【手続補正１】
【補正対象書類名】特許請求の範囲
【補正対象項目名】全文
【補正方法】変更
【補正の内容】
【特許請求の範囲】
【請求項１】
第１の表示盤（２３２）の表面に形成された第１のインジケータ群（２３２０〜２３２２，２３３０）を表示する日付の十の位（２３２０，２３２１）表示用の第１のウィンドウ（２３０）と、
第２の表示盤（２３３）の表面に形成された第２のインジケータ群（２３３０）を表示する日付の一の位（２３３０）表示用の第２のウィンドウ（２３１）と、
前記第１及び第２のインジケータ群それぞれのいずれかが表示されるよう前記第１及び第２の表示盤を回転駆動する少なくとも１つのアクチュエータと
を備えて成る時計において、
前記第１のインジケータ群のうち少なくとも１つの第１のインジケータ（２３２０，２３２１）と日付の十の位とは無関係なもう１つの第２のインジケータを同時に同ウィンドウ（２３０）に表示するよう構成したことを特徴とする時計。
【請求項２】
日付の十の位を示す前記第１のインジケータを数字とするとともに、前記第２のインジケータを数字の色、背景色、数字の字体、図柄又は英数字以外の文字で表現したことを特徴とする請求項１記載の時計。
【請求項３】
前記インジケータのいずれかを、数字以外のものとするとともに午前／午後を表現するようにしたことを特徴とする請求項１又は２記載の時計。
【請求項４】
午前を所定の第１の色で表現し、午後を所定の第２の色で表現したことを特徴とする請求項３記載の時計。
【請求項５】
午前／午後の表示を当該時計（１）の時針（２０）、分針（２１）及び秒針（２２）で示された現在時刻に応じて表示することを特徴とする請求項３又は４記載の時計。
【請求項６】
午前／午後の表示をアラーム設定時刻に応じて表示することを特徴とする請求項３又は４記載の時計。
【請求項７】
午前／午後の表示を当該時計（１）に表示された他の時間域における時刻に応じて表示することを特徴とする請求項３又は４記載の時計。
【請求項８】
少なくとも１つの前記インジケータ（２３２２）により時間とは無関係に当該時計のモードを表示したことを特徴とする請求項１〜７のいずれか１項に記載の時計。
【請求項９】
前記モードをアラーム設定モードとしたことを特徴とする請求項８記載の時計。
【請求項１０】
前記表示盤（２３２，２３３）をそれぞれ独立したアクチュエータで駆動するよう構成したことを特徴とする請求項１〜９のいずれか１項に記載の時計。
【請求項１１】
少なくとも１つの前記アクチュエータを、前記表示盤（２３２，２３３）を双方向に回転させるものとしたことを特徴とする請求項１〜１０のいずれか１項に記載の時計。
【手続補正２】
【補正対象書類名】明細書
【補正対象項目名】０００４
【補正方法】変更
【補正の内容】
【０００４】
また、特許文献１には３つのウィンドウで構成されたストップウォッチを備えた腕時計が開示されており、この３つのウィンドウは、ストップウォッチで計測された時分を機械的に又は数字で表示するためのものである。ここでは、数字が形成されたディスク状の３つの表示盤がウィンドウの裏側で回転し、適切な表示がなされるようになっている。さらに、３つのウィンドウを備えた腕時計は特許文献２にも開示されている。
また、特許文献３には日付又は曜日を表示するウィンドウに午前／午後表示用の図柄を付加的に表示する腕時計が開示されているが、午前／午後表示用の図柄が表示盤の一部を占めているため、日付又は曜日の表示は比較的小さなものとなっている。
また、特許文献４にはバッテリ充電レベルを日付又は曜日の表示の側部に表示させた時計が開示されているが、このような時計においては、表示盤をその固定位置に対して相対的にシフトさせる動作が必要であるために、バッテリ充電レベル表示のために、上記同様日付表示ウィンドウにおける１〜３１の占める空間が比較的小さなものとなっている。
また、特許文献５には日付、月、年及び曜日を表示するためのいくつかの表示盤を同時に表示するためのダイヤルを備えた時計が開示されているが、重ね合わされたいくつかの表示盤を必要とする構成となっている上、ウィンドウに表示するインジケータのサイズについて妥協せざるを得ないものとなっている。
また、特許文献６には、曜日の表示を午前には所定の第１の色で表示し、午後には所定の第２の色で表示する装置が開示されている。
さらに、特許文献７には日付、月齢又はバッテリ警告表示を交互に表示する時計が表示されているが、これらインジケータは同時に表示されるものではない。
【特許文献１】国際公開第２００５／００６０８７号
【特許文献２】国際公開第２００２／０９３２７３号
【特許文献３】欧州特許出願公開第０４１５７３４号明細書
【特許文献４】欧州特許出願公開第０７４４６７５号明細書
【特許文献５】スイス国特許出願公開第１９０２０８号明細書
【特許文献６】英国特許出願公開第２０１７３５６号明細書
【特許文献７】国際公開第２００６／０１８１５７号
【手続補正３】
【補正対象書類名】明細書
【補正対象項目名】０００８
【補正方法】変更
【補正の内容】
【０００８】
上記目的は、請求項１記載の特徴を有する時計によって解決される。
【手続補正４】
【補正対象書類名】明細書
【補正対象項目名】００１３
【補正方法】変更
【補正の内容】
【００１３】
さらに、本発明によれば、一方のインジケータが日付の十の位を示すインジケータにのみ加えて表示されるようになっている。この日付の十の位を示すインジケータが形成された表示盤には０〜３のみの数字が形成されることになるので、この表示板には、表示すべきインジケータを過度に増やすことなく例えば２対のインジケータを組み合わせることが可能となっている。また、日付の十の位を示すインジケータが形成された表示盤は月に最大でも４回しか回転しないため、すべてのインジケータを表示するためのこの表示盤の回転を少なく抑えることも可能となっている。
【国際調査報告】
2009508123.tif 000006
2009508123.tif 000007
2009508123.tif 000008
2009508123.tif 000009
2009508123.tif 000010
2009508123.tif 000011